(57)【要約】【課題】単純な構成でフレームメモリ領域等の各領域の配置位置が固定されている記憶部の記憶容量を低減し、コストダウンを図る。【解決手段】本体装置にセットされたＤＶＤ１０から読み取ったデータを格納するトラックバッファ領域Ｘ、および、デコードされた該データのうち出力すべき映像データ（再生信号）を格納するフレームメモリ領域Ｚを記憶領域の所定位置に割り当てている記憶部４ｃと、ＤＶＤ１０の再生の際、読み取ったデータに含まれる制御情報に基づいて、ＤＶＤ１０がビデオコンテンツが記録されたディスクかオーディオコンテンツが記録されたディスクかを判定し、オーディオコンテンツが記録されたディスクであると判定した際にＤＶＤ１０から読み取った各オーディオコンテンツのファイル情報を格納するファイル情報メモリ領域Ｆを２つのフレームメモリ領域Ｚに割り当てる再生部４とを備える。【選択図】  図２
2007087453.tif 000002
【特許請求の範囲】
【請求項１】
本体装置にセットされたＤＶＤから読み取ったデータを格納する読取データバッファ領域、および、デコードされた該データのうち出力すべき映像データを格納する複数のフレームメモリ領域を記憶領域の所定位置に割り当てている記憶部と、前記フレームメモリ領域に格納された映像データを出力する出力手段と、を有するＤＶＤ再生装置において、
ＤＶＤの再生の際、ＤＶＤから読み取ったデータに基づいて、このＤＶＤがビデオコンテンツが記録されたディスクかオーディオコンテンツが記録されたディスクかを判定する判定手段と、
前記判定手段によってオーディオコンテンツが記録されたディスクと判定された際、ＤＶＤから読み取ったデータに含まれる各オーディオコンテンツのファイル情報を格納するファイル情報メモリ領域を、複数の前記フレームメモリ領域の一部の領域に割り当てる割当手段と、を備え、
前記割当手段は、前記ファイル情報メモリ領域を複数の前記フレームメモリ領域の一部の領域に割り当てる際、前記オーディオコンテンツのファイル情報のデータサイズに応じてファイル情報メモリ領域として割り当てるフレームメモリ領域の数量を決定することを特徴とするＤＶＤ再生装置。
【請求項２】
本体装置にセットされた光ディスクから読み取ったデータを格納する読取データバッファ領域、および、デコードされた該データのうち出力すべき映像データを格納する複数のフレームメモリ領域を記憶領域の所定位置に割り当てている記憶部と、前記フレームメモリ領域に格納された映像データを出力する出力手段と、を有する光ディスク装置において、
光ディスクの再生の際、光ディスクから読み取ったデータに基づいて、この光ディスクがビデオコンテンツが記録されたディスクかオーディオコンテンツが記録されたディスクかを判定する判定手段と、
前記判定手段によってオーディオコンテンツが記録されたディスクと判定された際、光ディスクから読み取ったデータに含まれる各オーディオコンテンツのファイル情報を格納するファイル情報メモリ領域を複数の前記フレームメモリ領域の一部の領域に割り当てる割当手段と、を備えたことを特徴とする光ディスク装置。
【請求項３】
前記割当手段は、前記ファイル情報メモリ領域を複数の前記フレームメモリ領域の一部の領域に割り当てる際、前記オーディオコンテンツのファイル情報のデータサイズに応じてファイル情報メモリ領域として割り当てるフレームメモリ領域の数量を決定することを特徴とする請求項２に記載の光ディスク装置。
【発明の詳細な説明】
【技術分野】
【０００１】
この発明は、ＤＶＤ（ディジタルバーサタイルディスク）等の光ディスクに記録されたビデオコンテンツやオーディオコンテンツのデータを読み取って再生する光ディスク装置に関する。
【背景技術】
【０００２】
ＤＶＤ再生装置は、ＤＶＤに記録されたビデオコンテンツやオーディオコンテンツ等のデータを読み取って再生する。このＤＶＤには符号化されたデータが記録されているので、ＤＶＤ再生装置は読み取ったデータをデコードする処理を行う。ＤＶＤ再生装置は、このようなデコード等の処理を効率的に行うべくＤＶＤから読み取ったデータやデコードしたデータを記憶部に一次的に格納する。
【０００３】
記憶部は、図３に示すように記憶領域がフレームメモリ領域、デコード用バッファ領域、及びトラックバッファ領域等から構成されている。フレームメモリ領域は、デコードした映像データのうち表示装置に出力すべき映像データ格納する。フレームメモリ領域は、通常ＭＰＥＧ２（Moving Picture Expert Group2）規格のビデオコンテンツのデータをデコードするために３領域が必要とされ、それぞれのフレームメモリ領域に１フレーム分の映像データが格納される。この格納された映像データが表示装置に出力される。一方、オーディオコンテンツのデータをデコードするためには少なくとも１のフレームメモリ領域が必要とされる。１フレームメモリ領域あたりの記憶容量は、少なくとも３００ＫＢである。
【０００４】
デコード用バッファ領域は、数パケット分の記憶容量があり、デコードされたデータを映像データ、サブピクチャデータ、音声データ等に区別して記憶する。トラックバッファ領域は、１フレーム分の記憶容量があり、ＤＶＤから読み取ったデータを記憶する。従来のＤＶＤ再生装置は、図３に示すように記憶部の各領域の配置位置及び記憶容量が固定されている。
【０００５】
ＤＶＤに記録されているデータには、ファイル情報が含まれている。ビデオコンテンツのファイル情報には、各ビデオコンテンツのタイトルの開始位置等の情報が含まれる。オーディオコンテンツのファイル情報には、ＤＶＤに記録されている楽曲（オーディオコンテンツ）のファイルリストを作成するための各オーディオコンテンツの演奏時間、曲名等の情報が含まれている。各コンテンツのファイル情報は、ＤＶＤから読み取ったデータに含まれるのでトラックバッファ領域に格納される。
【０００６】
ＤＶＤには例えばｍｐ３形式の楽曲で約４０００曲のオーディオコンテンツを記録でき、それらの全ての曲名等の情報がファイル情報に含まれているので、オーディオコンテンツのファイル情報はビデオコンテンツのファイル情報に比べてデータサイズが大きい。
【０００７】
近年のＤＶＤ再生装置には、この記憶部の記憶容量を効率的に使用すべくＤＶＤがビデオコンテンツかオーディオコンテンツかによって割り当てるフレームメモリ領域の個数及び配置位置を変更する構成のものがある（例えば、特許文献１参照。）。また、オンスクリーン画像信号（以下、ＯＳＤ画像信号と言う。）のワークエリアを確保する旨の要求を発した際、フレームメモリ領域内におけるＯＳＤ画像信号がオーバレイされる不可視部位に対応する領域をワークエリアに割り当て、ＯＳＤ画像信号を格納する構成のものもある（例えば、特許文献２参照。）。
【特許文献１】特開２００１−１０３４２６号公報
【特許文献２】特開平１１−２９８８５７号公報
【発明の開示】
【発明が解決しようとする課題】
【０００８】
しかしながら、特許文献１等に記載されたＤＶＤ再生装置では、フレームメモリ領域およびその他の領域の配置位置が固定されず、各領域の配置位置が変動する毎にデータ等もそれに合わせて格納しなければならず、処理が複雑となる。また、特許文献２等に記載されたＤＶＤ再生装置では、フレームメモリ領域内におけるＯＳＤ画像信号を格納する程度の領域を確保できるのみであるので、オーディオコンテンツのファイル情報のようなサイズの大きなデータを格納する領域をフレームメモリ領域内に確保することは困難である。
【０００９】
この発明の目的は、単純な構成でフレームメモリ領域等の各領域の配置位置が固定されている記憶部の記憶容量を低減し、コストダウンを図ることができるＤＶＤ再生装置および光ディスク装置を提供することにある。
【課題を解決するための手段】
【００１０】
この発明は、上記課題を解決するために以下の構成を備えている。
【００１１】
（１）本体装置にセットされた光ディスクから読み取ったデータを格納する読取データバッファ領域、および、デコードされた該データのうち出力すべき映像データを格納する複数のフレームメモリ領域を記憶領域の所定位置に割り当てている記憶部と、前記フレームメモリ領域に格納された映像データを出力する出力手段と、を有する光ディスク装置において、
光ディスクの再生の際、光ディスクから読み取ったデータに基づいて、この光ディスクがビデオコンテンツが記録されたディスクかオーディオコンテンツが記録されたディスクかを判定する判定手段と、
前記判定手段によってオーディオコンテンツが記録されたディスクと判定された際、光ディスクから読み取ったデータに含まれる各オーディオコンテンツのファイル情報を格納するファイル情報メモリ領域を複数の前記フレームメモリ領域の一部の領域に割り当てる割当手段と、を備えたことを特徴とする。
【００１２】
この構成においては、光ディスクが再生される際、読み取ったデータから光ディスクががビデオコンテンツが記録されたディスクかオーディオコンテンツが記録されたディスクかが判定され、オーディオコンテンツが記録されたディスクと判定された場合、複数のフレームメモリ領域のうち一部の領域に各オーディオコンテンツのファイル情報が格納されるファイル情報メモリ領域が割り当てられる。また、ビデオコンテンツのファイル情報は、光ディスクから読み取ったデータに含まれるので読取データバッファ領域に格納される。
【００１３】
ここで、オーディオコンテンツの光ディスクの再生には、フレームメモリ領域のうちの一部の領域は使用されない。また、オーディオコンテンツのファイル情報は、ビデオコンテンツのファイル情報よりもデータサイズが大きい。
【００１４】
読み取った光ディスクのデータは読取データバッファ領域に格納されるため、従来はオーディオコンテンツのファイル情報も読取データバッファ領域に格納されるが、オーディオコンテンツのファイル情報は使用していないフレームメモリ領域の一部の領域に格納される。これにより、読取データバッファ領域にデータサイズの大きいオーディオコンテンツのファイル情報を格納しない分だけ読取データバッファ領域の記憶容量の低減が可能となるので、全体として記憶部の記憶容量を低減でき、コストダウンを図ることができる。
【００１５】
（２）前記割当手段は、前記ファイル情報メモリ領域を複数の前記フレームメモリ領域の一部の領域に割り当てる際、前記オーディオコンテンツのファイル情報のデータサイズに応じてファイル情報メモリ領域として割り当てるフレームメモリ領域の数量を決定することを特徴とする。
【００１６】
この構成においては、オーディオコンテンツのファイル情報のデータサイズに応じてファイル情報メモリ領域に割り当てられるフレームメモリ領域の数量が決定されるので、フレームメモリ領域を必要以上にファイル情報メモリ領域として割り当てることがないので、効率よく記憶部を使用することができる。
【発明の効果】
【００１７】
この発明によれば、読取データバッファ領域にデータサイズの大きいオーディオコンテンツのファイル情報を格納しない分だけ記憶部の記憶容量を低減することができ、コストダウンを図ることができる。
【発明を実施するための最良の形態】
【００１８】
以下、この発明の実施形態であるＤＶＤ再生装置について説明する。
【００１９】
図１は、この発明の実施形態に係るＤＶＤ再生装置の構成を示すブロック図である。光ディスク装置１は、ＤＶＤ１０に記録されている映像データや音声データ等のデータを再生する。ＤＶＤ再生装置１は、本体装置の動作を制御する制御部２と、本体装置にセットされている記録媒体であるＤＶＤ１０に記録されているビデオコンテンツやオーディオコンテンツ等のデータを読み取る読取部３と、読取部３が読み取ったデータにデコード等の処理を施して再生信号を生成する再生部４とを備えている。
【００２０】
また、ＤＶＤ再生装置１は、操作案内画面等のＯＳＤ画像信号を生成するＯＳＤ生成部５と、再生部４で生成された映像データとＯＳＤ生成部５で生成されたＯＳＤ画像信号とを重ね合わせた再生信号を生成する画像合成部６と、画像合成部６で生成された合成画像の再生信号を出力する画像信号出力部７と、再生部４で処理された音声データに基づく音声の音声信号を出力する音声信号出力部８と、装置本体に対する入力を受け付ける操作部９と、を備えている。なお、画像信号出力部７は、本発明の出力手段に相当する。
【００２１】
制御部２は、メモリを有し、このメモリに記憶している制御パラメータを用いて各部の動作を決定する。また、制御部２は、装置本体の各部に対して決定した動作に応じた動作指示を行う。各部は、制御部２からの指示にしたがって動作する。読取部３は、本体にセットされているＤＶＤ１０に記録されている記録データを読み取る図示しないピックアップヘッドを有する。ピックアップヘッドは、公知のように、レーザ光をＤＶＤ１０に照射し、その反射光を検出することで、このＤＶＤ１０に記録されている記録データを読み取る。
【００２２】
再生部４は、読取部３が読み取ったデータのうち映像データ及びサブピクチャデータにデコード等の処理を施す画像データ処理部４ａと、音声データにデコード等の処理を施す音声データ処理部４ｂとを有している。画像データ処理部４ａは、映像データ及びサブピクチャデータのそれぞれに基づいて再生信号を生成し、画像合成部５に送信する。音声データ処理部４ｂは、音声データに基づいて音声信号を生成し、音声信号出力部７に送信する。
【００２３】
画像合成部６は、映像データに基づく再生信号、サブピクチャデータに基づく再生信号、及びＯＳＤ画像信号を重ね合わせた再生信号を生成する。ＯＳＤ画像には、制御部２のメモリに記憶している制御パラメータの変更等にかかる操作案内画面（所謂設定メニュー画面）や、再生、一時停止等の装置本体の動作状態を通知する画面等がある。画像信号出力部７は、接続された表示装置１１に画像合成部５から出力された再生信号を出力する。
【００２４】
表示装置１１は、画像信号出力部７から入力された再生信号に基づく映像を表示する。音声信号出力部８は、接続されているスピーカ１２に音声信号を出力する。スピーカ１２は、音声信号に基づく音声を出力する。
【００２５】
操作部９は、複数の操作キーや、図示しないリモコン装置から送信されてきた制御コードを受信するリモコン受信部を有している。操作部９は、操作キーの操作やリモコン受信部における制御コードの受信により、再生等の入力を受け付ける。
【００２６】
図２（Ａ）及び（Ｂ）は、ビデオコンテンツ及びオーディオコンテンツ再生時における再生部４に備えられた記憶部の記憶領域の構成を示す説明図である。再生部４は、記憶部４ｃを備えている。記憶部４ｃは、デコード等の処理を行うためにＤＶＤ１０から読み取られたデータ等を記憶する。記憶部４ｃは、記憶領域がトラックバッファ領域（本発明の読取データバッファ領域に相当する。）Ｘ、デコード用バッファ領域Ｙ、フレームメモリ領域Ｚ等から構成されている。各領域Ｘ〜Ｙは、図２（Ａ），（Ｂ）に示すように記憶領域の所定位置に割り当てられている。
【００２７】
トラックバッファ領域Ｘは、音声データ処理部４ａ及び画像データ処理部４ｂにおいてデコード等の処理を行うために読み取ったデータを記憶する。トラックバッファ領域Ｘは、１フレーム分の記憶容量を有する。デコード用バッファ領域Ｙは、音声データ処理部４ａ及び画像データ処理部４ｂによってデコード等の処理がされたデータを映像データ、サブピクチャデータ、音声データ等に区別して記憶する。なお、デコード用バッファ領域Ｙは、数パケット分の記憶容量を有する。音声データ処理部４ａは、デコード用バッファ領域Ｙに格納されている音声データ（音声信号）を音声信号出力部８に出力する。
【００２８】
フレームメモリ領域Ｚは、デコード用バッファ領域Ｙに格納されているデコード等の処理がされた映像データのうち画像合成部６に出力すべき映像データ（再生信号）を格納する。１フレームメモリ領域Ｚあたり１フレーム分の映像データが格納される。また、ビデオコンテンツの場合は、動画像を適切に表示するため図２（Ａ）に示すように３フレーム分の映像データを格納する必要があるので３つのフレームメモリ領域Ｚが割り当てられている。
【００２９】
一方、オーディオコンテンツの場合は、１つのフレームメモリ領域Ｚが割り当てられている。オーディオコンテンツ再生中は静止画像を表示する程度であり、少なくとも１のフレームメモリ領域Ｚがあればよいからである。なお、フレームメモリ領域Ｚは、少なくとも３００ＫＢの記憶容量を有していればよい。
【００３０】
再生部４は、読み取ったデータに含まれる制御情報からＤＶＤ１０がビデオコンテンツが記録されたディスクかオーディオコンテンツが記録されたディスクかを判定する。制御情報は、ＤＶＤ１０に記録されているファイル情報に含まれている。
【００３１】
ファイル情報には、ビデオコンテンツの場合は各ビデオコンテンツのタイトルの開始アドレス等が含まれている。また、オーディオコンテンツの場合は、ＤＶＤに記録されている楽曲（オーディオコンテンツ）のファイルリストを作成するための各オーディオコンテンツの演奏時間、曲名等の情報も含まれている。
【００３２】
再生部４は、ＤＶＤ１０がビデオコンテンツが記録されたディスクであると判定した場合、図２（Ａ）に示すようにファイル情報をトラックバッファ領域Ｘに格納する。一方、ＤＶＤ１０がオーディオコンテンツが記録されたディスクであると判定した場合は、図２（Ｂ）に示すようにファイル情報を２つのフレームメモリ領域Ｚに該当する位置に格納する。つまり、オーディオコンテンツの場合、図２（Ａ）に示す２つのフレームメモリ領域Ｚがファイル情報メモリ領域Ｆとして割り当てられる。したがって、再生部４は、本発明の判定手段及び割当手段に相当する。
【００３３】
再生部４は、ＤＶＤ１０に記録されているのがオーディオコンテンツの場合、再生開始時にファイル情報を読み取り、デコード等の処理をした後に画像合成部６に出力する。画像合成部６は、出力されたファイル情報からファイルリストの映像データを合成し、画像信号出力部７に出力する。ファイルリストは、曲名や演奏時間等が表示されている楽曲リスト等がある。
【００３４】
以上のように、ＤＶＤ１０がオーディオコンテンツが記録されたディスクである場合にビデオコンテンツにおいて３つのフレームメモリ領域Ｚの一部の２領域をファイル情報メモリ領域Ｆとして割り当てることで、トラックバッファ領域Ｘにデータサイズの大きいオーディオコンテンツのファイル情報を格納しない分だけトラックバッファ領域Ｘの記憶容量の低減が可能となるので、全体として記憶部４ｃの記憶容量を低減でき、コストダウンを図ることができる。
【００３５】
本実施形態では、２つのフレームメモリ領域Ｚをファイル情報メモリ領域Ｆとして割り当てているが、特にこれに限定されるものではない。例えば、再生部４が、読み取ったデータに含まれるファイル情報の開始アドレス、終了アドレスからファイル情報のデータサイズを検出し、ファイル情報のデータサイズに応じてファイル情報メモリ領域Ｆとして割り当てるフレームメモリ領域Ｚの数量を決定してもよい。これによって、フレームメモリ領域Ｚを必要以上にファイル情報メモリ領域Ｆとして割り当てることがないので、効率よく記憶部４ｃを使用することができる。
【図面の簡単な説明】
【００３６】
【図１】この発明の実施形態に係るＤＶＤ再生装置の構成を示すブロック図である。
【図２】ビデオコンテンツ及びオーディオコンテンツ再生時における再生部に備えられた記憶部の記憶領域の構成を示す説明図である。
【図３】従来の記憶部の記憶領域の構成を示す説明図である。
【符号の説明】
【００３７】
１−ＤＶＤ再生装置
２−制御部
４−再生部
４ａ−音声データ処理部
４ｂ−画像データ処理部
４ｃ−記憶部
６−画像合成部
７−画像信号出力部
１０−ＤＶＤ
Ｆ−ファイル情報メモリ領域
Ｘ−トラックバッファ領域
Ｙ−デコード用バッファ領域
Ｚ−フレームメモリ領域
【図１】
2007087453.tif 000003
【図２】
2007087453.tif 000004
【図３】
2007087453.tif 000005